【事件の表示】
　平成　３年特許願第１０５２０３号「指針式機能時計」拒絶査定に対する審判事件［平成　４年１１月　６日出願公開、特開平　４−３１５０９０］について、次のとおり審決する。
【結　論】
　本件審判の請求は、成り立たない。
【理　由】
１．手続の経緯及び本願発明
　本願は、平成３年４月１１日の出願であって、その請求項１および２に係る発明は、平成１２年１月１２日付け、平成１２年５月１０日付け、平成１２年１０月２５日付け及び平成１３年２月２３日付けの手続補正書により補正された明細書及び図面の記載からみて、その特許請求の範囲の請求項１および２に記載されたとおりのものと認められるところ、その請求項１に係る発明（以下、「本願発明」という。）は、次のとおりのものと認める。
（本願発明）
【請求項１】  時、分、秒針よりなる時刻指針と前記秒針を駆動する時刻駆動用モータと、前記時刻駆動用モータを通常駆動モードと変調駆動モードとに切り換える駆動モード切り換え手段を備えた指針式電子時計において、センサ機能の機能信号を作成する機能信号発生手段と前記機能信号発生手段の発生信号によって機能表示を行う機能指針と、前記時刻駆動用モータとは別に前記機能指針を駆動するための機能駆動用モータと、該機能駆動用モータの非回転を検出するための非回転検出手段とを設け、該非回転検出手段の非回転検出信号によって前記駆動モード切り換え手段を制御することにより、前記秒針を変調モードで駆動すると共に、前記非回転検出信号が出力後の前記秒針が変調モード中も前記機能信号発生手段は機能信号の作成を継続し、該機能信号の発生に基づき前記機能指針は駆動を継続することを特徴とした指針式機能時計。
２．引用刊行物
　これに対して、原査定の拒絶の理由に引用された、本願の出願前に頒布された刊行物は次の揚げるものである。
　　引用文献１：特開昭６１−３４４１６号公報
　　引用文献２：特開昭５９−１７１８８号公報
　２−１．引用文献１に記載されている発明
　　（１）本発明の目的は、ステップモータを介して水深表示用の回転型表示部材の制御を行なうように構成された水深表示装置を実現することにある。（第２頁右上欄第１１〜１３行）
　　（２）第１図〜第３図は、本発明の１実施例による指針式水深表示装置を備えたダイバー用腕時計を示すものである（第２頁右上欄第１７〜１９行）
　　（３）本実施例の時計は、外部操作部材としてはリュ−ズ１とプッシュプル・ボタン２とを有しており、また表示部材としては時針、分針、秒針より成る時刻表示用指針３と水深表示用指針４とを有している。ただし水深検出用のセンサーおよび該センサーの取り付け部等については、図示を省略している（第２頁左下欄第１〜７行）
　　（４）本実施例の水深表示装置はいわゆるマイクロコンピュータ形式の構成を有しており、５はクロック信号形成回路、６はＣＰＵ、７はプログラム等を記憶しているＲＯＭ、８はＲＡＭ、９はインプットポート、１０はアウトプットポートである（第２頁右下欄第７〜１１行）
　　（５）またＩポート９の人力部Ｉには、所定のサンプリング周期ごとに、水圧検出装置１２からの水圧検出サンプリング・データが入力されるように構成されている。上記の水圧検出装置１２は、水圧検出用センサ−を含む水圧検出部１３と、該水圧検出部１３からの出力信号を増幅するためのアンプ１４と、該アンプ１４からのアナログ出力信号をデジタル信号に変換するためのＡ／Ｄ変換回路１５より構成されている（第３頁左上欄第７〜１５行）
　　（６）一方、Ｏポート１０の出力端子Ｏ１およびＯ２は、それぞれワンショット回路１６および１７を介して、正転用駆動信号形成回路１８および逆転用駆動信号形成回路１９に接続されている。また該正転用駆動信号形成回路１８および逆転用駆動信号形成回路１９からの出力信号は、モータ駆動回路２０に人力されてステップモータ２１を正転方向あるいは逆転方向に駆動し、さらにステップモータ２１は、輪列２２を介して前述の水深表示用指針４を、正転方向あるいは逆転方向に駆動するように構成されている（第３頁右上欄第２〜１１行）
　　（７）以下、図に従って本実施例の水深表示装置の動作についての説明を行う。ただし第１図および第３図においては、時刻表示用指針３の駆動等の制御に関する部分は、本発明の要旨と直接関係がないため省略されている（第３頁左下欄第８〜１２行）
　　（８）ここで、所定のサンプリング周期で水圧の検出動作を行っている水圧検出装置１２から水圧データが与えられると、該水圧データをＣＰＵ６で指針表示データ（水深表示用指針４が水深を表示するために指示するべき位置を示すデータ）Ｄｎに変換する段階（ステップＢ−２）へと進む。・・・・・最新の指針表示データ（以下、単に新データと称する）ＤｎをＲＡＭ８の新データ記憶部内に記憶する段階（ステップＢ−３）を経て、ＲＡＭ８の旧データ記憶部内に記憶されている前回の水圧検出サンプリング動作時の指針表示データ（以下、単に旧データと称する）Ｄｏとこの新データＤｎとを比較する段階（ステップＢ−４）へと進む。・・・・・Ｄｎ−Ｄｏ＞０の場合、・・・Ｏポート１０の出力端子Ｏ１から１個のパルス信号を出力する段階（ステップＢ−５）へと進む。この結果、ステップモータ２１は正転方向に１ステップ駆動され、従って水深表示用指針４も正転方向に１ステップだけ回転移動することになる（第４頁右下欄第９行〜第５頁右上欄第３行）、
と記載されている。
　なお、上記摘記事項（７）に記載されているように、時刻表示用指針３については駆動等の制御に関する部分の記載が省略されているが、機能指針を有する時計においては、機能指針を駆動するモータと時刻表示用指針を駆動するモータは通常別々に設けられていることは技術常識であること等を勘案すると、引用文献１には、次のとおりの発明が記載されている。
「時針、分針、秒針より成る時刻表示用指針３と前記指針を駆動する時刻駆動用モータとを備えた指針式ダイバー用腕時計において、水圧検出用センサーを含む水圧検出部１３と前記水圧検出部１３からの出力信号によって水深を表示する水深表示用指針４と前記時刻駆動用モータとは別に前記水深表示用指針４を駆動するためのステップモータ２１とを備えた指針式水深表示時計」
　２−２．引用文献２に記載されている発明
　　（１）秒針駆動用ステップモータと時・分針駆動用ステップモータの２つのステップモータを有する電子時計に於て、秒針に通常運針と異なる運針を行なわせるための信号を発生する警告秒針駆動用信号発生回路と、前記時・分針駆動用ステップモータのロータの回転、非回転を検出する検出回路と、この検出回路が前記ロータの非回路を検出すると前記信号により前記秒針駆動用ステップモータを駆動させ、秒針が通常運針と異なる運針を行なう様に制御をする制御回路とを設けたことを特徴とする電子時計（第１頁左欄第５〜１５行）
　　（２）本発明の目的は・・・時計に異常が生じた場合には秒針が通常運針と異なる運針をするようにし、使用者に時計に異常があったことを知らせることの出来る電子時計を得ることにあり（第２頁左上欄第７〜１１行）
　　（３）７は選択回路で、ＡＮＤゲート８、９とＯＲゲート１０とにより構成され、後記する制御回路３５の出力信号により制御され前記した通常秒針駆動用信号と警告秒針駆動用信号のいずれか一方を選択して通過させる（第２頁左下欄第２〜６行）
　　（４）３１はロータ３０の回転、非回転を検出するための検出回路で（第３頁左上欄第１５、１６行）
　　（５）次に動作について説明する。・・・・・従って選択回路７から第２図（Ａ）に示す如き通常秒針駆動用信号が通過し、秒針駆動用信号分配回路１１、駆動回路１５、電磁コイル１６を介してロータ１７を１秒毎に駆動し回転させる。そのため輪列を介して秒針は駆動され、１秒毎の通常運針を行なう。
　又、時・分針駆動用信号発生回路５からは第２図の波形Ｃに示す如き２０秒毎の時・分針駆動用信号が発生しているため、時・分針駆動信号分配回路１８、駆動回路２８、電磁コイル２９を介してロータ３０は２０秒毎に駆動され、輪列を介して時・分針は駆動され運針を行なう。
　こゝで時・分針駆動用信号の印加終了後短時間経過すると、第２図の波形Ｄに示す如き電磁コイル開閉信号が駆動回路２８に印される。この時、ロータ３０の回転運動により電磁コイル２９の一端には誘起電圧が発生する。この誘起電圧はロータ３０が正常に回転するとインバータ３２、又は３３のしきい値電圧を越え、正常に回転しない非回転の場合にはインバータ３２又は３３のしきい値電圧を超えない。
　　（６）次にロータ３０が正常に回転した場合について説明する。
　ロータ３０が正常に回転すると、インバータ３２又は３３の一方にはしきい値電圧を越える電圧が印加され、従ってインバータ３２又は３３の一方からはＬ信号が出力し、ＮＡＮＤゲート３４からＨ信号が出力する。そのためＡＮＤゲート３６、ＯＲゲート３８を介してカウンタ４０はリセットされ、Ｓ−ＲＦＦ４１の出力はＬ信号を保持したままとなる。そのため秒針は通常秒針駆動用信号を基にして駆動される。この様に時・分針駆動用のロータ３０が正常に回転した場合には秒針は通常運針を行なうのである。（第３頁右下欄第１９行〜第４頁左上欄第１０行）
　　（７）次に衝撃、ゴミ、低温、磁界等の何らかの原因でロータ３０が正常に回転出来なかったものとすると、電磁コイル開閉信号が駆動回路２８に印加されても電磁コイル２９の一端らはインバータ３２又は３３のしきい値電圧を越える電圧が発生せず、・・・・・時・分針駆動用信号によりカウンタ４０はカウントされ、”Ｈ”、”Ｈ”信号を出力するようになる。そのためＳ−ＲＦＦ４１はセットされ、Ｓ−ＲＦＦ４１の出力はＨ信号に切換保持される。・・・Ｓ−ＲＦＦ４１からの信号が出力すると、選択回路７からは第２図の波形Ｂに示す如き警告秒針駆動用信号が通過することになり、秒針は通常運針とは異なる２秒毎の連続した運針を行なうようになる。・・・そのため時計の使用者は時計に異常があったことに気づき時刻表示が正しくないことがわかる（第４頁左上欄第８行〜第４頁左下欄第１１行）、と記載されている。
　これを要約すると、引用文献２には、次の事項が記載されている。
　秒針駆動用ステップモータと時・分針駆動用ステップモータとの２つのステップモータを有する電子時計において、時・分針が何らかの原因により運針を停止した場合、秒針が通常運針と異なる運針をするようにし、使用者に時計に異常があったことを知らせることの出来る電子時計に係る発明が記載されており（摘記事項（２）、（３）参照）、具体的には、時、分、秒針よりなる時刻指針と、前記秒針を駆動する秒針駆動用スッテプモータ１６、１７と、前記秒針駆動用モータを通常運針と通常運針とは異なる運針とに切り換える選択回路７を備えた指針式電子時計において、時・分針駆動用信号を発生する時・分針駆動用信号発生回路５と前記時・分針駆動用信号発生回路５の発生信号によって時刻表示を行う時・分針と、前記秒針駆動用ステップモータ１６、１７とは別に設けられた時・分針駆動用ステップモータ２９、３０と、該時・分針駆動用ステップモータ２９、３０の回転、非回転を検出するための検出回路３１とを設け、該検出回路３１の非回転検出回路によって前記選択回路７を制御することにより、前記秒針を通常運針と異なる運針で駆動させることが記載されている。
３．対比
　本願発明と引用文献１に記載された発明とを対比すると、引用文献１に記載されている「時刻表示用指針３」、「時刻駆動用モータ」、「指針式ダイバー用腕時計」、「水圧検出部１３」、「水深表示用指針」、「ステップモータ２１」及び「指針式水深表示時計」は、それぞれ本願発明における「時刻指針」、「時刻駆動用モータ」、「指針式電子時計」、「機能信号発生手段」、「機能指針」、「機能駆動用モータ」及び「指針式機能時計」に相当するから、両者の一致点及び相違点は次のとおりである。
〈一致点〉
　時、分、秒針よりなる時刻指針と前記指針を駆動する時刻駆動用モータとを備えた指針式電子時計において、センサ機能の機能信号を作成する機能信号発生手段と前記機能信号発生手段の発生信号によって機能表示を行う機能指針と、前記時刻駆動用モータとは別に前記機能指針を駆動するための機能駆動用モータとを有した指針式機能時計。
〈相違点〉
　本願発明では、「秒針を駆動する時刻駆動用モータを通常駆動モードと変調駆動モードとに切り換える駆動モード切り換え手段を設け、前記時刻駆動用モータとは別の機能駆動用モータの非回転を検出するための非回転検出手段の非回転検出信号によって前記駆動モード切り換え手段を制御することにより、前記秒針を変調モードで駆動すると共に、前記非回転検出信号が出力後の前記秒針が変調モード中も機能信号発生手段は機能信号の作成を継続し、該機能信号の発生に基づき前記機能指針は駆動を継続する」ようにしているのに対し、引用文献１に記載された発明には、表示の制御については何等記載がない点
４．当審の判断
　上記相違点を検討すると、
　４−１．引用文献２に記載された発明について
　　引用文献２に記載された発明は、前項２−２に記載したとおりであって、引用文献２に記載された「秒針駆動用スッテプモータ１６、１７」、「通常運針」及び「通常運針とは異なる運針」は、それぞれ相違点における「秒針を駆動する時刻駆動用モータ」、「通常駆動モード」及び「変調駆動モード」に相当する。
　また、引用文献２には「選択回路７」について、「ＡＮＤゲート８、９とＯＲゲート１０とにより構成され、後記する制御回路３５の出力信号により制御され前記した通常秒針駆動信号と警告秒針駆動用信号のいずれか一方を選択して通過させる」（摘記事項(３)参照）とあることから、引用文献２に記載された「選択回路７」は、相違点における「秒針を駆動する時刻駆動用モータを通常駆動用モードと変調駆動モードに切り換える駆動モード切り換え手段」に相当するものであることは明らかである。
　また、非回転を検出すべきモータが、「時・分針駆動用ステップモータ２９、３０」であるか、或いは「機能駆動用モータ」であるか、という違いはあるものの、引用文献２に記載された「検出回路３１」は、相違点における「モータの非回転を検出するための非回転検出手段」に対応するものである。
　さらに、審判請求人が審判請求書において主張するように、引用文献２には、上記相違点の「前記非回転検出信号が出力後の前記秒針が変調モード中も機能信号発生手段は機能信号の作成を継続し、該機能信号の発生に基づき前記機能指針は駆動を継続する」という構成については、直接の具体的記載はない。
　しかしながら、上記摘記事項（５）から（７）の記載及び引用文献２の第１図の記載から明らかなように、引用文献２に記載された発明においても、秒針に通常とは異なる運針を行わせている間（本願発明における「変調モード」中）も時・分針駆動用モータのロータ３０に対して、時・分針駆動用信号の作成を継続していることは明らかである。
　したがって、引用文献２には、非回転を検出すべきステップモータが「時・分針駆動用ステップモータ」であって「機能駆動用モータ」ではないという相違があるだけで、その他の点では上記相違点のすべてが記載されている、すなわち、「秒針を駆動する時刻駆動用モータを通常駆動モードと変調駆動モードとに切り換える駆動モード切り換え手段を設け、前記時刻駆動用モータとは別の駆動モータの非回転を検出するための非回転検出手段の非検出信号によって前記駆動用モード切り換え手段を制御することにより、前記秒針を変調モードで駆動すると共に、前記非回転検出信号が出力後の前記秒針が変調モード中も機能信号発生手段は機能信号の作成を継続し、該機能信号の発生に基づき前記機能指針は駆動を継続する」ことが記載されているといえる。
　４−２．引用文献１記載の発明と引用文献２記載の発明の組合せの容易想到性について
　　引用文献１に記載されたダイバー時計は、水深を表示する指針と、時刻を表示する指針とを有しており、指針による表示機能を有する点では、引用文献１記載の発明と引用文献２記載の発明とは共通するものである。
　しかも、前記２−１に記載したように、引用文献１に記載された発明においては、水深表示用指針駆動用モータと、時刻表示用指針駆動用モータとの、少なくとも２種のモータを備えていることは明らかである。
　してみれば、当業者であれば、引用文献２に記載された指針式電子時計における運針の停止を警告するための技術手段を、引用文献１に記載されたダイバー時計の水深表示用指針（機能指針）に適用して、本願発明の構成、すなわち、「秒針を駆動する時刻駆動用モータを通常駆動モードと変調駆動モードとに切り換える駆動モード切り換え手段を設け、前記時刻駆動用モータとは別の機能駆動用モータの非回転を検出するための非回転検出手段の非回転検出信号によって前記駆動モード切り換え手段を制御することにより、前記秒針を変調モードで駆動すると共に、前記非回転検出信号が出力後の前記秒針が変調モード中も機能信号発生手段は機能信号の作成を継続し、該機能信号の発生に基づき前記機能指針は駆動を継続する」ようにすることは、容易に想到し得ることである。
　４−３．相違点に係る本願発明の作用効果について
　　本件明細書には、【発明の効果】として、「機能指針駆動用モータの非回転を機能動作モードにおいて検出し、その結果を動作の見易い秒針によって警告すると共に機能自体は継続するようにすることにより、生命の危険に係わるような水深計機能等の誤動作に対してわかりやすい警告機能を提供することができる。」（段落【００１３】参照）と記載されている。また、審判請求書において、「本願は付加機能であるセンサ機能の誤動作に対する警告を発すると共に生命の危険に係わるセンサ機能である水深計測動作自体は能動的に制御した事で動作継続するように構成したことにより、特に生命の危険に係わるような水深計機能等のセンサ機能であるからこそ付加機能動作自体は継続しながら誤動作に対して警告機能を実現できる効果を達成できた。」とも主張している。
　しかしながら、モータの非回転を検出した結果を、動作の見易い秒針によって警告するという作用効果については、引用文献２に記載されており、また、該効果は、引用文献１に記載された発明と組み合わせることにより予期し得ない格別な効果であるとも認められないから、当業者で有れば予期しうる範囲内のものである。
　また、本願発明の機能時計における機能は、単にセンサ機能の機能信号発生手段によって機能表示をおこなうとされており、水深計測に特定されるものではない以上、「生命に係わるような水深計測等のセンサ機能であるからこそ、」という旨の効果の主張は、本願発明の構成に基づかない主張であって、採用できない。
５．むすび
　したがって、本願発明は、引用文献１および２に記載された発明に基づいて当業者が容易に発明をすることができたものであるので、特許法第２９条第２項の規定により特許を受けることができない。
　上記のとおり、本願の請求項１に係る発明が特許を受けることができないものであるから、本願のその余の請求項に係る発明について審究するまでもなく、本願は拒絶すべきものである。
　よって結論のとおり審決する。